【手続補正書】
【提出日】平成15年12月24日(2003.12.24)
【手続補正１】
【補正対象書類名】明細書
【補正対象項目名】特許請求の範囲
【補正方法】変更
【補正の内容】
【特許請求の範囲】
【請求項１】
電話機に内線番号の他に仮想内線番号を割り当てることができる機能を有するボタン電話装置において、
前記電話機にて前記仮想内線番号を用いて通話中に着信があった場合に発信側へ話中音を返送する設定を、通話開始前に予め行う設定手段と、
前記電話機にて前記仮想内線番号を用いて通話中に前記内線番号に着信があった場合、前記設定手段の設定内容をチェックし、前記発信側に話中音を返送する設定がなされている場合、前記電話機に呼び出し音を送出する代わりに、話中音を前記発信側に返送する話中音返送手段とを具備したことを特徴とするボタン電話装置。
【請求項２】
電話機に内線番号の他に仮想内線番号を割り当てることができる機能を有するボタン電話装置において、
前記電話機にて前記仮想内線番号を用いて通話中に着信があった場合に発信側へ話中音を返送する設定を、前記仮想内線番号を用いて通話中で且つ前記内線番号に着信前に予め行う設定手段と、
前記電話機にて前記仮想内線番号を用いて通話中に前記内線番号に着信があった場合、前記設定手段の設定内容をチェックし、前記発信側に話中音を返送する設定がなされている場合、前記電話機に呼び出し音を送出する代わりに、話中音を前記発信側に返送する話中音返送手段とを具備したことを特徴とするボタン電話装置。
【請求項３】
電話機に内線番号の他に仮想内線番号を割り当てることができる機能を有するボタン電話装置において、
前記電話機にて前記仮想内線番号を用いて通話中に前記内線番号に着信があった場合に発信側へ話中音を返送する設定を、前記仮想内線番号を用いて通話中で且つ前記内線番号に着信後に行う設定手段と、
前記電話機にて前記仮想内線番号を用いて通話中に前記内線番号に着信があった場合、前記設定手段により前記発信側に話中音を返送する設定がなされると、前記電話機に呼び出し音を送出する代わりに、話中音を前記発信側に返送する話中音返送手段とを具備したことを特徴とするボタン電話装置。
【請求項４】
電話機に内線番号の他に仮想内線番号を割り当てることができる機能を有するボタン電話装置において、
前記電話機にて前記仮想内線番号を用いて通話中に着信があった場合に発信側へボイスメールを返送する設定を、通話開始前に予め行う設定手段と、
前記電話機にて前記仮想内線番号を用いて通話中に前記内線番号に着信があった場合、
前記設定手段の設定内容をチェックし、前記発信側にボイスメールを返送する設定がなされている場合、前記電話機に呼び出し音を送出する代わりに、ボイスメールを前記発信側に返送するボイスメール返送手段とを具備したことを特徴とするボタン電話装置。
【請求項５】
電話機に内線番号の他に仮想内線番号を割り当てることができる機能を有するボタン電話装置において、
前記電話機にて前記仮想内線番号を用いて通話中に着信があった場合に発信側へボイスメールを返送する設定を、前記仮想内線番号を用いて通話中で且つ前記内線番号に着信前に予め行う設定手段と、
前記電話機にて前記仮想内線番号を用いて通話中に前記内線番号に着信があった場合、前記設定手段の設定内容をチェックし、前記発信側にボイスメールを返送する設定がなされている場合、前記電話機に呼び出し音を送出する代わりに、ボイスメールを前記発信側に返送するボイスメール返送手段とを具備したことを特徴とするボタン電話装置。
【請求項６】
電話機に内線番号の他に仮想内線番号を割り当てることができる機能を有するボタン電話装置において、
前記電話機にて前記仮想内線番号を用いて通話中に前記内線番号に着信があった場合に発信側へボイスメールを返送する設定を、前記仮想内線番号を用いて通話中で且つ前記内線番号に着信後に行う設定手段と、
前記電話機にて前記仮想内線番号を用いて通話中に前記内線番号に着信があった場合、前記設定手段により前記発信側にボイスメールを返送する設定がなされると、前記電話機に呼び出し音を送出する代わりに、ボイスメールを前記発信側に返送するボイスメール返送手段とを具備したことを特徴とするボタン電話装置。
【請求項７】
電話機に内線番号の他に仮想内線番号を割り当てることができる機能を有するボタン電話装置において、
前記電話機にて前記仮想内線番号を用いて通話中に着信があった場合に発信側へボイスメールを返送し且つ発信側のメッセージを録音する設定を、通話開始前に予め行う設定手段と、
前記電話機にて前記仮想内線番号を用いて通話中に前記内線番号に着信があった場合、前記設定手段の設定内容をチェックし、前記発信側にボイスメールを返送し且つ発信側のメッセージを録音する設定がなされている場合、前記電話機に呼び出し音を送出する代わりに、ボイスメールを前記発信側に返送し且つ発信側のメッセージを録音するメッセージ録音手段とを具備したことを特徴とするボタン電話装置。
【請求項８】
電話機に内線番号の他に仮想内線番号を割り当てることができる機能を有するボタン電話装置において、
前記電話機にて前記仮想内線番号を用いて通話中に着信があった場合に発信側へボイスメールを返送し且つ発信側のメッセージを録音する設定を、前記仮想内線番号を用いて通話中で且つ前記内線番号に着信前に予め行う設定手段と、
前記電話機にて前記仮想内線番号を用いて通話中に前記内線番号に着信があった場合、前記設定手段の設定内容をチェックし、前記発信側にボイスメールを返送する設定がなされている場合、前記電話機に呼び出し音を送出する代わりに、ボイスメールを前記発信側に返送し且つ発信側のメッセージを録音するメッセージ録音手段とを具備したことを特徴とするボタン電話装置。
【請求項９】
電話機に内線番号の他に仮想内線番号を割り当てることができる機能を有するボタン電話装置において、
前記電話機にて前記仮想内線番号を用いて通話中に前記内線番号に着信があった場合に発信側へボイスメールを返送し且つ発信側のメッセージを録音する設定を、前記仮想内線番号を用いて通話中で且つ前記内線番号に着信後に行う設定手段と、
前記電話機にて前記仮想内線番号を用いて通話中に前記内線番号に着信があった場合、前記設定手段により前記発信側にボイスメールを返送し且つ発信側のメッセージを録音する設定がなされると、前記電話機に呼び出し音を送出する代わりに、ボイスメールを前記発信側に返送し且つ発信側のメッセージを録音するメッセージ録音手段とを具備したこと
を特徴とするボタン電話装置。
【請求項１０】
前記電話機に、前記設定手段による設定内容を表示する表示手段を具備したことを特徴とする請求項１、請求項５乃至請求項９のいずれかに記載のボタン電話装置。
【請求項１１】
前記電話機にて前記仮想内線番号を用いて通話中に前記内線番号に着信があった場合に、その前記内線番号に対する着信の表示をさせる着信表示手段を具備したことを特徴とする請求項１、請求項５乃至請求項９のいずれかに記載のボタン電話装置。
【請求項１２】
前記着信表示手段は、前記内線番号の発信者の電話番号を表示することを特徴とする請求項１１に記載のボタン電話装置。
【請求項１３】
電話機に内線番号の他に仮想内線番号を割り当てることができる機能を有するボタン電話装置において、
前記電話機にて前記仮想内線番号を用いて通話中に前記内線番号に着信があった場合に発信側へ話中音を返送する設定を、発信側毎にオン・オフする設定手段と、
前記電話機にて前記仮想内線番号を用いて通話中に前記内線番号に着信があった場合、前記設定手段の設定内容をチェックし、前記発信側に話中音を返送する設定がオンの場合、前記電話機に呼び出し音を送出する代わりに、話中音を前記発信側に返送する話中音返送手段とを具備したことを特徴とするボタン電話装置。
【請求項１４】
電話機に内線番号の他に仮想内線番号を割り当てることができる機能を有するボタン電話装置において、
前記電話機にて前記仮想内線番号を用いて通話中に前記内線番号に着信があった場合に発信側へ話中音を返送する設定を、発信側毎に優先度をつけて行う設定手段と、
前記電話機にて前記仮想内線番号を用いて通話中に前記内線番号に着信があった場合、前記設定手段の設定内容をチェックし、前記内線番号の発信側の優先度が前記仮想内線番号の発信側の優先度よりも低い時にのみ、前記電話機に呼び出し音を送出する代わりに、話中音を前記発信側に返送する話中音返送手段とを具備したことを特徴とするボタン電話装置。
【請求項１５】
電話機に内線番号の他に仮想内線番号を割り当てることができる機能を有するボタン電話装置の着信受付方法であって、
着信先の前記電話機が内線番号を使用中かどうか判定し、当該内線番号を使用中であれば、発信側へ話中音を返送し、
着信先の前記電話機が仮想内線番号を使用中かどうか判定し、当該仮想内線番号を使用中であれば、発信側へ話中音を返送することを特徴とするボタン電話装置の着信受付方法。